(57)【特許請求の範囲】
【請求項１】
シャッタ速度優先モードと絞り優先モードとを含む複数の撮影モードの何れかに設定可能な撮像装置であって、
複数の操作部材のうちどの操作部材が優先操作部材に割り当てられているかを、前記複数の撮影モードについて同時に識別できる機能登録画面を表示する表示部と、
前記機能登録画面に対するユーザの指示に従い、前記優先操作部材にどの操作部材を割り当てるかを設定する設定手段と、
前記設定手段によって前記優先操作部材に設定された操作部材の操作に従い、前記シャッタ速度優先モードではシャッタスピードを調整し、前記絞り優先モードでは絞り値を調整するように制御する制御手段
とを有することを特徴とする撮像装置。
【請求項２】
前記設定手段はさらに、前記優先操作部材に割り当て可能な操作部材のうち、前記優先操作部材に割り当てられていない操作部材の前記複数の撮影モードのそれぞれにおける機能を、ユーザからの指示に基づいて個別に設定することを特徴とする請求項１に記載の撮像装置。
【請求項３】
前記設定手段は、シャッタスピードを設定する機能と絞り値を設定する機能をどの操作部材に割り当てるかの組み合わせである複数のプリセットパターンのうち、ユーザに選択されたプリセットパターンに従って設定を行うことを特徴とする請求項１または２に記載の撮像装置。
【請求項４】
前記選択されたプリセットパターンによって前記シャッタスピードと絞り値が設定されない操作部材に、ユーザによって選択された機能を登録する手段を有することを特徴とする請求項３に記載の撮像装置。
【請求項５】
前記優先操作部材に割り当てることのできる複数の操作部材はいずれも回転操作部材であることを特徴とする請求項１乃至４の何れか１項に記載の撮像装置。
【請求項６】
前記優先操作部材に割り当てることのできる複数の操作部材は、当該撮像装置の撮像面側である撮像装置前面に配置された回転操作部材を含むことを特徴とする請求項１乃至５の何れか１項に記載の撮像装置。
【請求項７】
シャッタ操作部を更に有し、
前記回転操作部材は、前記撮像装置を把持した状態で、該把持した手の指のうち、前記シャッタ操作部を操作可能な指で操作可能な位置に配置されていることを特徴とする請求項６に記載の撮像装置。
【請求項８】
前記優先操作部材に割り当てることのできる複数の操作部材は、当該撮像装置の撮像面と反対側に配置された回転操作部材を含むことを特徴とする請求項１乃至７の何れか１項に記載の撮像装置。
【請求項９】
シャッタ速度優先モードと絞り優先モードとを含む複数の撮影モードのうち何れかに設定可能な撮像装置を制御する方法であって、
複数の操作部材のうちどの操作部材が優先操作部材に割り当てられているかを、前記複数の撮影モードについて同時に識別できる機能登録画面を表示部に表示するステップと、
前記機能登録画面に対するユーザの指示に従い、前記優先操作部材にどの操作部材を割り当てるかを設定する設定ステップと、
前記設定ステップによって前記優先操作部材に設定された操作部材の操作に従い、前記シャッタ速度優先モードではシャッタスピードを調整し、前記絞り優先モードでは絞り値を調整するように制御する制御ステップ
とを有することを特徴とする撮像装置の制御方法。
【請求項１０】
コンピュータを、請求項１乃至８のいずれか１項に記載された撮像装置の各手段として機能させるためのプログラム。
【請求項１１】
コンピュータを、請求項１乃至８のいずれか１項に記載された撮像装置の各手段として機能させるためのプログラムを格納したコンピュータが読み取り可能な記録媒体。
【発明の詳細な説明】
【技術分野】
【０００１】
本発明は、操作部材に対してユーザの指示に基づいた機能を割り当て可能な撮像装置、撮像装置の制御方法及びプログラム並びに記録媒体に関する。
【背景技術】
【０００２】
【先行技術文献】
【特許文献】
【０００３】
【特許文献１】特開２００２−１６５１２３号公報
【特許文献２】特開２００８−２７５７３２号公報
【０００４】
近年、デジタルカメラなどの撮像装置の小型化が進んでおり、操作部材も必要最少限の個数の操作ボタンだけを装置本体に備えるようになっている。一方で、撮像装置の高機能化も進んでおり、少ない操作部材でもより操作しやすい撮像装置が望まれている。
【０００５】
特許文献１には、Ａｖ（絞り）優先モード、Ｔｖ（シャッタ速度）優先モード、マニュアルモード等の複数の動作モードでの撮影が可能な撮像装置が記載されている。
【０００６】
特許文献２には、操作部材であるプレビューキーに割り当てる機能をユーザが任意に設定できる撮像装置が記載されている。
【発明の概要】
【発明が解決しようとする課題】
【０００７】
特許文献１に記載の技術では、複数の動作モードのそれぞれでユーザの撮影意図が異なり、ユーザが使用したい撮像装置の機能は異なる。従って、特許文献２に記載の技術のように、操作部材にユーザが任意に機能を割り当てるとしても、動作モードごとに別個に機能を割り当てられることが望ましい。しかし、複数の動作モードで複数の操作部材に任意の機能を割り当てられるようにすると、ユーザにとってはどの動作モードでどの操作部材にどの機能を割り当てたのかがわかり難くなり、かえって煩雑で使い難いものとなる。
【０００８】
本発明は、複数の撮影モードにおいて操作部材に異なる機能を割り当て可能でありつつ、操作の煩雑さを低減した撮像装置、撮像装置の制御方法及びプログラム並びに記録媒体を提示することを目的とする。
【課題を解決するための手段】
【０００９】
本発明に係る撮像装置は、シャッタ速度優先モードと絞り優先モードとを含む複数の撮影モードの何れかに設定可能な撮像装置であって、複数の操作部材のうちどの操作部材が優先操作部材に割り当てられているかを、前記複数の撮影モードについて同時に識別できる機能登録画面を表示する表示部と、前記機能登録画面に対するユーザの指示に従い、前記優先操作部材にどの操作部材を割り当てるかを設定する設定手段と、前記設定手段によって前記優先操作部材に設定された操作部材の操作に従い、前記シャッタ速度優先モードではシャッタスピードを調整し、前記絞り優先モードでは絞り値を調整するように制御する制御手段とを有することを特徴とする。
【発明の効果】
【００１２】
本発明によれば、ユーザの指示に基づいて複数の撮影モードにおける操作部材の機能を別個に割り当て可能であり、かつ、操作の煩雑さを低減して操作性を向上させることができる。
【図面の簡単な説明】
【００１３】
【図１】本発明に係る撮像装置の一実施例の外観図である。
【図２】本実施例の概略構成ブロック図を示す。
【図３】機能割り当ての機能登録画面とその遷移の例である。
【図４】図３に示す機能登録画面からの遷移の例である。
【図５】本実施例の機能登録画面における処理手順を示すフローチャートである。
【図６】プリセットパターン切り替え処理のフローチャートとプリセットパターン例の表である。
【図７】個別機能領域への選択枠移動処理のフローチャートと選択対象行の選択順番例を示す表である。
【図８】選択枠移動処理のフローチャートである。
【図９】割り当て機能変更処理のフローチャートと、割り当て機能例を示す表である。
【図１０】別の機能登録画面例である。
【発明を実施するための形態】
【００１４】
以下、図面を参照して、本発明の実施例を詳細に説明する。
【実施例１】
【００１５】
図１（ａ）は、本発明に係る撮像装置の一実施例であるデジタルカメラの背面斜視図を示し、図１（ｂ）は前面斜視図を示す、図２は、本実施例の概略構成ブロック図を示す。
【００１６】
表示部２８は、画像や各種情報を表示する。シャッタボタン６１は撮影指示を行うための操作部である。モード切替スイッチ６０は各種モードを切り替えるための操作部である。コネクタ１１２には、接続ケーブル１１１を接続できる。操作部７０は、ユーザからの各種操作を受け付ける各種スイッチ、ボタン、タッチパネル等の操作部材からなる。コントローラホイール７３は、操作部７０に含まれる回転操作可能な操作部材である。電源スイッチ７２は、電源オンと電源オフを切り替えるのに使用される。記録媒体２００は、メモリカード又はハードディスク等からなる。記録媒体スロット２０１に記録媒体２００を格納し、蓋２０３で閉成する。記録媒体スロット２０１に格納された記録媒体２００は、デジタルカメラ１００の内部回路に電気的に接続する。
【００１７】
電子ダイヤル７４（図１（ｂ））は操作部７０に含まれる回転操作部材であり、時計周りおよび反時計周りに回転操作可能なエンドレスロータリエンコーダからなる。電子ダイヤル７４は、デジタルカメラ１００の前面に、回転面の一部がデジタルカメラ１００の筐体内に隠れ、一部が筐体の外に露出するように配置され、露出部を指等で操作可能となっている。デジタルカメラ１００を右手だけで把持した場合に、モード切替スイッチ６０及びコントローラホイール７３を右手親指で、シャッタボタン６１及び電子ダイヤル７４を右手人指し指で操作可能なように配置されている。鏡筒８０は、デジタルカメラ１００の鏡筒に収納可能であり、撮影モードで起動した際に繰り出される。
【００１８】
撮影レンズ１０３は、鏡筒８０に収納されているズームレンズ及びフォーカスレンズを含む。シャッタ１０１は絞り機能を備える。撮像部２２は、光学像を電気信号に変換するＣＣＤ又はＣＭＯＳの撮像素子等で構成される。Ａ／Ｄ変換部２３は、撮像部２２から出力されるアナログ信号をデジタル信号に変換する。バリア１０２は、撮影レンズ１０３を含む撮像部を覆うことにより、撮影レンズ１０３、シャッタ１０１及び撮像部２２を含む撮像系を汚れや破損から保護する。
【００１９】
画像処理部２４は、Ａ／Ｄ変換部２３からの画像データ又はメモリ制御部１５からの画像データに対し所定の画素補間及び縮小といったリサイズ処理並びに色変換処理を行う。また、画像処理部２４は、撮像した画像データに所定の演算処理を行い、得られた演算結果に基づいてシステム制御部５０が露光制御及び測距制御を行う。これにより、ＴＴＬ（スルー・ザ・レンズ）方式のＡＦ（オートフォーカス）処理、ＡＥ（自動露出）処理及びＥＦ（フラッシュプリ発光）処理が行われる。画像処理部２４は更に、撮像した画像データに所定の演算処理を行い、得られた演算結果に基づいてＴＴＬ方式のＡＷＢ（オートホワイトバランス）処理も行う。
【００２０】
Ａ／Ｄ変換部２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換部２３によりデジタルデータ化された画像データ、及び表示部２８に表示するための画像データを格納する。メモリ３２は、所定枚数の静止画像や所定時間の動画像および音声を格納するのに十分な記憶容量を備えている。
【００２１】
メモリ３２は、画像表示用メモリ（ビデオメモリ）を兼ねる。Ｄ／Ａ変換部１３は、メモリ３２に格納されている表示用画像データをアナログ信号に変換して表示部２８に供給する。こうして、表示部２８は、メモリ３２に書き込まれた表示用画像データの示す画像を表示する。撮像部２２により撮像された画像新合意をＡ/Ｄ変換部２３、メモリ３２及びＤ／Ａ変換部１３を介して逐次、表示部２８に供給することで、表示部２８が電子ビューファインダとして機能する。表示部２８は、いわゆるスルー画像を表示する。
【００２２】
不揮発性メモリ５６は電気的に消去・記録可能なメモリであり、例えばＥＥＰＲＯＭ等が用いられる。不揮発性メモリ５６には、システム制御部５０の動作用の定数及びプログラム等が記憶される。ここでいうプログラムは、以下にフローチャート等を参照して説明する動作をシステム制御部５０に実現させるプログラムである。
【００２３】
システム制御部５０は、デジタルカメラ１００全体を制御する。システム制御部５０は、不揮発性メモリ５６に記録された制御プログラムを実行することで以下の各処理を実現する。システムメモリ５２は、ＲＡＭからなる。システムメモリ５２には、システム制御部５０の動作用の定数及び変数、並びに不揮発性メモリ５６から読み出したプログラム等が展開される。システム制御部５０は、メモリ３２、Ｄ／Ａ変換部１３及び表示部２８等を制御することにより、表示部２８の表示を制御する。
【００２４】
システムタイマ５３は、各種制御に用いる時間、及び、内蔵時計の時間を計測する計時部である。
【００２５】
モード切替えスイッチ６０、第１シャッタスイッチ６２、第２シャッタスイッチ６４及び操作部７０は、システム制御部５０に各種の動作指示を入力するための操作手段である。
【００２６】
モード切替えスイッチ６０は、システム制御部５０の動作モードを静止画記録モード、動画記録モード及び再生モード等のいずれかに切り替える。第１シャッタスイッチ６２は、シャッタボタン６１の操作途中、いわゆる半押し（撮影準備指示）でオンとなって、第１シャッタスイッチ信号ＳＷ１を発生する。第１シャッタスイッチ信号ＳＷ１により、システム制御部５０は、ＡＦ処理、ＡＥ処理、ＡＷＢ処理及びＥＦ処理等の動作を開始する。
【００２７】
第２シャッタスイッチ６４は、シャッタボタン６１の操作完了、いわゆる全押し（撮影指示）でオンとなり、第２シャッタスイッチ信号ＳＷ２を発生する。システム制御部５０は、第２シャッタスイッチ信号ＳＷ２により、撮像部２２からの信号読み出しから記録媒体２００への画像データの書き込みまでの一連の撮影処理の動作を開始する。
【００２８】
操作部７０は、上述した操作部材７２，７４以外に、十字型に別個に配置された上ボタン、下ボタン、左ボタン及び右ボタンからなる４方向ボタンを含む。この４方向ボタンは、単一の操作部材で構成しつつ十字の４方向に操作可能な構成であってもよい。操作部７０はまた、セットボタン及びメニューボタンを有する。セットボタンは、各種設定操作において主に決定の指示に用いされる。メニューボタンは、通常再生モードや撮影モードにおいてスルー画像を表示している状態から、メニュー画面を呼び出すためと、各種設定操作において主に「戻る」指示に用いられる。その他にも操作部材を有していてもよいが、以下の説明においては不要であるので、説明を省略する。
【００２９】
操作部７０の１又は幾つかの操作部材は、表示部２８に種々の機能アイコンとして表示され、場面ごとに適宜の機能が割り当てられる機能ボタンとしても実現されうる。このような機能ボタンとしては、例えば、終了ボタン、戻るボタン、画像送りボタン、ジャンプボタン、絞込みボタン及び属性変更ボタン等がある。例えば、メニューボタンが押されると、各種の設定可能なメニュー画面が表示部２８に表示される。利用者は、表示部２８に表示されたメニュー画面と、４方向ボタン及びセットボタンを用いて、各種設定を行うことができる。
【００３０】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、システム制御部５０は、コントローラホイール７３が回転操作された角度及び回転量などを判定できる。
【００３１】
なお、コントローラホイール７３は、回転操作が検出できる操作部材であればどのようなものでもよい。例えば、ユーザの回転操作に応じてコントローラホイール７３自体が回転してパルス信号を発生するダイヤル操作部材であってもよい。また、いわゆるタッチホイールのように、タッチセンサよりなる操作部材としてユーザの指の回転動作などを検出するものであってもよい。電子ダイヤル７４も、コントローラホイール７３と同様の回転操作可能な操作部材である。
【００３２】
コントローラホイール７３及び電子ダイヤル７４には、後述するように、撮影モード毎にユーザ所望の機能を割り当てることができる。
【００３３】
電源制御部８０は、電池検出回路、ＤＣ−ＤＣコンバータ、及び通電するブロックを切り替えるスイッチ回路等により構成され、電池の装着の有無、電池の種類及び電池残量を検出する。また、電源制御部８０は、その検出結果及びシステム制御部５０の指示に基づいてＤＣ−ＤＣコンバータを制御し、必要な電圧を必要な期間、記録媒体２００を含む各部に供給する。
【００３４】
電源部３０は、アルカリ電池やリチウム電池等の一次電池やＮｉＣｄ電池やＮｉＭＨ電池、Ｌｉ電池等の二次電池又はＡＣアダプタ等からなる。メモリカードやハードディスク等の記録媒体２００は、インターフェース１８に接続する。
【００３５】
デジタルカメラ１００は、静止画を撮影するための撮影モードとして以下の撮影モードを設定可能である。マニュアルモードは、シャッタスピードと絞り値をそれぞれユーザ指示に基づいて個別に設定して撮影するモードであり、ユーザの任意の露出で撮影できる。Ｔｖ優先モードは、シャッタ速度をユーザが指示した値に設定して撮影するモードであり、設定したシャッタ速度に応じて、カメラ１００が自動的に絞り値を設定する。Ａｖ優先モードは、絞り値をユーザが指示した値に設定して撮影するモードであり、設定した絞り値に応じて、カメラ１００が自動的にシャッタスピードを設定する。プログラムＡＥモード（Ｐモード）は、被写体の明るさに応じて絞り値とシャッタ速度の両方をカメラ１００が自動的に決定して撮影するモードである。プログラムＡＥモード（Ｐモード）では、露出補正、ＩＳＯ感度及びＷＢ設定等をユーザが手動で設定することができる。オートモードは、被写体の明るさに応じて、絞り値とシャッタ速度の両方をカメラ１００が自動的に決定して撮影するモードであり、ＩＳＯ感度及びＷＢ設定等も自動的に決定される。
【００３６】
デジタルカメラ１００は、アスペクト切替え機能、ホワイトバランス補正機能、及びコントラスト補正機能を具備する。アスペクト切替え機能では、アスペクトを切り替えできる。すなわち、撮影される画像のアスペクト比（縦横比）を、１６：９、４：３、３：２及び１：１などの中から選択できる。ホワイトバランス補正機能では、ホワイトバランスの補正値を設定でき、ユーザは、標準のホワイトバランス設定よりも特定の色の方向に任意の値だけ補正できる。これにより、市販の色温度変換フィルタや色補正フィルタを適用したのと同様の効果を得ることができる。コントラスト補正機能を「入」に設定すると、人の顔や背景などの明るさを自動判別し、明るい部分の白とびを抑えたり、暗い部分を適切な明るさに自動補正する。また、画面全体で明暗差が小さい時には、くっきりした印象となるように自動補正して撮影することができる。
【００３７】
本実施例では、コントローラホイール７３と電子ダイヤル７４の何れか一方を各撮影モードに共通の優先操作部材として割り当て、他方を撮影モードに固有の機能を割り当てることができる。
【００３８】
コントローラホイール７３と電子ダイヤル７４にユーザが機能を割り当てる際の画面遷移を説明する。いずれかの撮影モードにおいて、操作部７０に含まれるメニューボタンを押下すると、表示部２８に図３（ａ）に示すようなメニュー画面が表示される。メニュー画面において、「機能登録」の項目を選択してセットボタンを押下すると、表示部２８に図３（ｂ）に示すような、複数の撮影モードでの機能割り当て状況を同時に識別できる機能登録画面が表示される。図３（ｂ）において、プリセットパターン切替え行３０１は、優先操作部材としてどの操作部材を割り当てるかをユーザが設定するための表示領域である。行３０１に選択枠をあてた状態で左右ボタンを押下することにより、優先操作部材としてどの操作部材を割り当てるかを選択できる。
【００３９】
優先操作部材とは、Ａｖ値とＴｖ値のうち、各撮影モードで優先して変更すべき値の変更を指示する操作部材である。Ａｖ値とＴｖ値のうち、各撮影モードで優先して変更すべき値は、Ａｖ優先モードであればＡｖ値、Ｔｖ優先モードであればＴｖ値である。マニュアルモードではどちらかが優先ということはなく、均等な関係である。ＰモードではＡｖ値とＴｖ値は個別に設定することはできないので、いずれも優先ではなく、優先操作部材にＡｖ値の変更又はＴｖ値の変更機能が割り当てられることはない。
【００４０】
以上の前提に基づいて、優先操作部材にどの操作部材を割り当てたかに応じた、以下の３パターンのプリセットパターンを有している。
【００４１】
「電子ダイヤル優先１」は、電子ダイヤル７４を優先操作部材に割り当てた場合のプリセットパターンである。電子ダイヤル７４の機能を、マニュアルモードにおいてはＴｖ値の変更、Ａｖ優先モードにおいてはＡｖ値の変更、Ｔｖ優先モードにおいてはＴｖ値の変更とするプリセットである。
【００４２】
「電子ダイヤル優先２」は、電子ダイヤル７４を優先操作部材に割り当てた場合のプリセットパターンである。電子ダイヤル７４の機能を、マニュアルモードではＡｖ値の変更（これが電子ダイヤル１との違い）、Ａｖ優先モードではＡｖ値の変更、Ｔｖ優先モードではＴｖ値の変更とするプリセットである。
【００４３】
「コントローラホイール優先」は、コントローラホイール７３を優先操作部材に割り当てた場合のプリセットパターンである。コントローラホイール７３の機能を、マニュアルモードではＡｖ値及びＴｖ値の変更、Ａｖ優先モードではＡｖ値の変更、Ｔｖ優先モードではＴｖ値の変更とするプリセットである。
【００４４】
優先操作部材となった操作部材の各撮影モードにおける機能は、この３つのプリセットパターンのいずれかで定義される機能に設定される。また、優先操作部材のうちプリセットパターンで定義されない撮影モードでの機能（Ｐモードでの優先操作部材の機能）と、優先操作部材でない方の操作部材の機能は、ユーザが撮影モード毎に任意に設定できる。
【００４５】
このように、各撮影モードに共通の優先操作部材を設定し、その操作部材を操作することで各撮影モードにおいて優先される機能を実行できる。従って、ユーザは、優先操作部材がどれであるかさえ覚えておき、それを操作することで、各撮影モードでの優先機能を実行させることができる。直感的でわかり易い操作を実現できる。
【００４６】
特に、Ａｖ優先モードで優先される機能がＡｖ値の設定で、Ｔｖ優先モードで優先される機能がＴｖ値であるということは、その撮影モードを定義付ける特徴的な事項である。これは、Ａｖ優先モードとＴｖ優先モードをよく利用するユーザにとっては自明な事項である。優先操作部材の操作で、Ａｖ優先撮影モードではＡｖ値を調整でき、Ｔｖ優先撮影モードではＴｖ値を調整できれば、直感的でわかり易い操作感を提供できる。
【００４７】
図３（ｂ）で、個別機能領域３０２は、各操作部材の機能を各撮影モード別に個別に設定するための領域である。個別機能領域３０２は、電子ダイヤル７４の行３０３、コントローラホイール７３の行３０４、マニュアルモードの列３０５、Ａｖ優先モードの列３０６、Ｔｖ優先モードの列３０７及びＰモードの列３０８の２行４列のセルよりなる。いずれかのセルに選択枠をあてた状態で電子ダイヤル７４を操作することにより、選択枠があたっているセルの列の撮影モードでの、選択枠があたっているセルの行の操作部材の機能を設定できる。
【００４８】
個別機能領域３０２外の電子ダイヤル７４の行３０３の先頭には、電子ダイヤル７４の行であることを示す電子ダイヤル７４を模したアイコンが表示される。コントローラホイール７３の行３０４の先頭には、コントローラホイール７３の行であることを示すコントローラホイール７３を模したアイコンが表示される。
【００４９】
個別機能領域３０２外で行３０３より上に表示されている「Ｍ」、「Ａｖ」、「Ｔｖ」及び「Ｐ」のアイコンは、それぞれの列が、それぞれマニュアルモードの列、Ａｖ優先モードの列、Ｔｖ優先モードの列及びＰモードの列であることを示す。個別機能領域３０２内の各セル、すなわち、電子ダイヤル７４の行３０３とコントローラホイール７３の行３０４のセル内の表示は、各セルに対して割り当てられる機能を示す。ここでの「Ａｖ」及び「Ｔｖ」はそれぞれ、Ａｖ値（絞り値）を変更する機能及びＴｖ値を変更する機能を示す。すなわち、上段に表示されている各撮影モードを示す「Ａｖ」及び「Ｔｖ」とは意味が異なる。
【００５０】
機能登録画面は、以上のように構成されており、図３（ｂ）に示す画面例では、以下のように設定されていることになる。すなわち、優先操作部材は電子ダイヤル７４である。マニュアルモードにおいては、電子ダイヤル７４でＴｖ値を変更する操作が行え、コントローラホイール７３でＡｖ値を変更する操作が行える。Ａｖ優先モードでは、電子ダイヤル７４でＡｖ値を変更する操作が行え、コントローラホイール７３でアスペクト比を切り替える操作が行える。Ｔｖ優先モードでは、電子ダイヤル７４でＴｖ値を変更する操作が行え、コントローラホイール７３でホワイトバランスをプラス側又はマイナス側に補正する操作（ホワイトバランス補正機能）が行える。Ｐモードでは、電子ダイヤル７４、コントローラホイール７３ともに無効となっており、いずれを操作しても何の機能も発動しない。
【００５１】
図３（ｃ）及び図３（ｄ）は、図３（ｂ）に示す状態から左右ボタンを押下してプリセットパターンを切り替えた場合の機能登録画面の表示例を示す。図３（ｂ）〜図３（ｄ）はいずれも、プリセットパターン切り替えの行３０１に選択枠があたった状態である。図３（ｂ）、図３（ｃ）及び図３（ｄ）により、優先操作部材の各撮影モードにおける機能が、切り替えられたプリセットパターンで定義される機能に設定されていることがわかる。優先操作部材のうちプリセットパターンで定義されない撮影モードでの機能（Ｐモードでの優先操作部材の機能）と、優先操作部材でない方の操作部材の機能は、設定済みの内容がプリセットパターンの切り替えに関わらず引き継がれる。
【００５２】
図３（ｂ）に示す機能登録画面を表示した際の現在の撮影モードがＡｖ優先モードであったとする。すなわち、メニューボタンを押下して図３（ａ）に示すメニュー画面を表示する前での撮影モードが、Ａｖ優先モードであったとする。このときに、上ボタンを押下すると、図４（ａ）又は図４（ｂ）に示す画面に遷移する。
【００５３】
メニュー画面から機能選択画面に遷移してから初めて上ボタンを押下した場合には、図４（ａ）に示す画面に遷移し、現在の撮影モードであるＡｖ優先モードの列のセルに選択枠が移動する。これによって、現在の撮影モードで操作部材に割り当てられる機能をすばやく設定可能となる。本実施例は、このような設定機能及び編集機能などの制御機能をシステム制御部５０を構成するＣＰＵに実現させる。
【００５４】
一方、メニュー画面から機能選択画面に遷移してから、一回以上、個別機能領域３０２の何れかのセルに選択枠を移動させたことがあったとする。それから機能選択画面を終了することなく、再度プリセットパターン切り替えの行３０１に選択枠があたった状態で上ボタンを押下した場合、直前に選択していたセルの行に選択枠が移動する。これによって、直前に設定した操作部材の割り当て機能をすばやく修正可能となる。図４（ｂ）は、直前にＰモードの列のセルを選択していたためにＰモードの列のセルに選択枠が移動した例である。
【００５５】
図４（ｂ）に示すように、個別機能領域３０２のセルに選択枠があたっている状態で電子ダイヤル７４を操作すると、そのセルが示す撮影モードでの操作部材に割り当たっている機能を変更できる。図４（ｂ）、図４（ｃ）及び図４（ｄ）は、個別機能領域３０２のセルに選択枠が当たっている状態で電子ダイヤルを回した場合の画面表示例を示す。図４（ｂ）に示すようにＰモードでのコントローラホイール７３の機能のセルに選択枠が当たっている状態で電子ダイヤルを回すと、そのセルの機能が、無効（図４（ｂ））、アスペクト切り替え（図４（ｃ））及びｉ−コントラスト（図４（ｄ））と順に切り替わる。
【００５６】
このように、優先操作部材に割り当てられていない操作機能を各撮影モードで別個に設定する際に、現在の撮影モードだけでなく、他の撮影モードでの機能割り当て状況も同時に表示して設定可能である。このようにすることで、他の撮影モードで割り当てられている機能との関係を認識しながら機能設定（機能登録）が行え、複数の撮影モードで別個に機能を設定できることに伴う煩雑さを低減できる。例えば、現在の撮影モードにおける優先操作部材でない操作部材に機能を割り当てる際、他の撮影モードの割り当て状況を見ることで、他の撮影モードと同じ操作部材で同じ機能を割り当てたり、意識的に異なる機能を割り当てることができる。また、他の撮影モードで既に割り当てられている機能を、現在の撮影モードでの機能割り当てに伴って、撮影モード間の関係や撮影意図を意識しながらあえて他の機能に変更することも容易に行える。これによって、ユーザがどの操作部材にどの機能を割り当てたかを覚え易くなることも期待できる。
【００５７】
図５〜図９は、上記の機能登録画面における処理手順を示すフローチャートである。図５〜図９に示すフローチャートは、不揮発性メモリ５６に記録されたプログラムを、システム制御部５０がシステムメモリ５２に展開して実行することで実現される。
【００５８】
図３（ａ）に示すメニュー画面において「機能登録」の項目を選択してセットボタンを押下すると、図５に示す機能登録処理を開始する。
【００５９】
Ｓ５０１ではまず、システム制御部５０はシステムメモリ５２から現在の撮影モードが何モードであるかの記憶情報を取得する。
【００６０】
Ｓ５０２では、システム制御部５０は、不揮発性メモリ５６から現在のシャッタ速度と絞り数値の優先操作部材のプリセットパターン情報を取得する。このプリセットパターンは、上述のように、優先した同一の操作部材に、各撮影モードで優先される機能（例えば、Ｔｖ優先モードにおけるシャッタ速度や、Ａｖ優先モードにおける絞り数値等）の割り当てを示すパターンである。
【００６１】
Ｓ５０３で、システム制御部５０は、選択定義情報を初期値に戻す。選択定義情報は、プリセットパターン切り替えの行３０１に選択枠があたっている状態から、個別機能領域３０２に選択枠を移動する際にどのセルに選択枠を移動すべきかを示す。選択定義情報が初期値の場合、選択枠は、現在の撮影モードの列を示す。初期値以外の場合は、選択枠は、個別機能領域３０２における前回選択枠があったセルを示す。
【００６２】
Ｓ５０４では、システム制御部５０は、個別機能領域３０２の各列に配列される複数の撮影モードにおける操作部材に割り当てられた機能を示す情報を不揮発性メモリ５６からシステムメモリ５２に取得する。
【００６３】
Ｓ５０５で、システム制御部５０は、プリセットパターン切り替えの行３０１に選択枠をあてる処理する。
【００６４】
Ｓ５０６で、システム制御部５０は、Ｓ５０１〜Ｓ５０５の処理に基づいた機能登録画面の描画処理を実施する。これにより、例えば図３（ｂ）に示したような画面が表示部２８に表示される。
【００６５】
Ｓ５０６では、システム制御部５０は、操作部７０に含まれる４方向ボタンのうち、左ボタン又は右ボタンが押下されたか否かを判定する。左ボタン又は右ボタン（以下、左右ボタン）が押下されたと判定すると、システム制御部５０は、Ｓ５０８に進み、プリセットパターン切り替え処理を行う。プリセットパターン切り替え処理については、図６（ａ）を用いて後述する。左ボタンも右ボタンも押下されていない場合、Ｓ５０９に進む。
【００６６】
Ｓ５０９では、システム制御部５０は、操作部７０に含まれる４方向ボタンのうち上ボタン又は下ボタン（以下、上下ボタン）が押下されたか否かを判定する。システム制御部５０は、上ボタン又は下ボタンが押下されたと判定すると、Ｓ５１０に進み、個別機能領域への選択枠移動処理を行う。個別機能領域への選択枠移動処理については、図７（ａ）を用いて後述する。上ボタンも下ボタンも押下されていない場合、Ｓ５１１に進む。
【００６７】
Ｓ５１１では、システム制御部５０は、終了操作が行われたか否かを判定する。システム制御部５０は、終了操作があったと判定するとＳ５１２に進み、終了操作がないと判定するとＳ５０７に戻り処理を繰り返す。
【００６８】
終了操作は、例えば、操作部７０に含まれるメニューボタンの押下（これが行われるとＳ５１２の処理を経て図３（ａ）に示したメニュー画面に遷移する）である。電源スイッチ７２の操作等による電源をＯＦＦとする操作も終了操作となる。操作部７０に含まれる再生ボタンの押下による再生モードへ移行する操作も、ここでの終了操作に該当する。シャッタボタン６１の半押し操作も秀良操作となる。この半押し操作で、第１シャッタスイッチ信号ＳＷ１がＯＮとなり、Ｓ５１２の処理を経て現在の撮影モードにおける撮影待機状態に移行し、スルー画像表示がされる。
【００６９】
後述する図６〜図９の処理におけるどの段階でも、シャッタボタン６１の半押しがあった場合には、割り込み処理により機能登録画面を終了して現在の撮影モードにおける撮影待機状態に移行し、スルー画像が表示される。
【００７０】
Ｓ５１２では、システム制御部５０は、機能登録画面を閉じ（機能登録画面の表示を消去し）、機能登録処理を終了する。
【００７１】
図６（ａ）は、図５のＳ５０８におけるプリセットパターン切り替え処理のフローチャートを示す。
【００７２】
Ｓ６０１で、システム制御部５０は、次のプリセットパターンの候補を取得する。プリセットパターンは、図６（ｂ）に示す通り３つある。Ｓ５０７での操作が右ボタン押下の場合、システム制御部５０は、図６（ｂ）のプリセットパターンのうち現在のプリセットパターン番号よりも一つ大きい番号のプリセットパターンを次のプリセットパターンとしてシステムメモリ５２に取得する。左ボタン押下の場合、現在のプリセットパターン番号よりも一つ小さい番号のプリセットパターンが、次のプリセットパターンとしてシステムメモリ５２に取得される。
【００７３】
Ｓ６０２で、システム制御部５０は、システムメモリ５２に保持されている選択定義情報を初期値にセットする。
【００７４】
Ｓ６０３で、システム制御部５０は、優先操作部材の変更があったか否かを判定する。優先操作部材の変更があった場合とは、Ｓ６０１で取得した次のプリセットパターンの優先操作部材が、現在のプリセットパターンの優先操作部材と異なっている場合である。各プリセットパターンの優先操作部材は、図６（ｂ）に示す表に示す通りである。優先操作部材の変更があった場合、Ｓ６０４に進み、優先操作部材の変更がなかった場合、Ｓ６０５に進む。
【００７５】
Ｓ６０４では、システム制御部５０は、優先操作部材を変更する。優先操作部材の変更により、プリセットパターンによって機能が割り当てられる操作部材が、変更前の優先操作部材から変更後の優先操作部材に変更される。また、コントローラホイール７３と電子ダイヤル７４のうち、優先操作部材の変更前に優先操作部材でない操作部材に割り当てられていた機能が、他方の操作部材（優先操作部材の変更後に優先操作部材でなくなる操作部材）に割り当てられる。
【００７６】
優先操作部材の入れ替えに連動して他方の操作部材に事前に割り当ててあった機能を入れ替える理由は、他方の操作部材に事前に割り当てられた機能がユーザの意思に基づいて登録された機能であることを考慮してのものである。これらの機能は、他の機能に比べてユーザの使う頻度が高い、又はお気に入りの機能であると考えることができる。そこで、優先操作部材が変更された際に、デフォルト設定(例えば無効など)に戻ってしまうのでは、再度の登録作業が必要となり使い勝手がよくない。従って、優先操作部材が変更された際でもユーザが登録した割り当て機能は優先操作部材でない方の操作部材に引き継ぐこととした。
【００７７】
Ｓ６０５で、システム制御部５０は、Ｓ６０１で取得した次のプリセットパターンによる各撮影モードでの優先操作部材の機能と、現在優先操作部材でない操作部材に割り当てられている各撮影モードでの機能を取得する。そして、取得した各機能を、プリセットパターン切替えに応じた優先操作部材と優先操作部材でない操作部材に適用する。システム制御部５０は、適用した機能を不揮発性メモリ５６に記録する。
【００７８】
Ｓ６０６で、システム制御部５０は、Ｓ６０５で適用した各操作部材の各撮影モードにおける機能を示すように機能登録画面を更新する。この更新により、例えば図３（ｂ）に示す機能登録画面が、図３（ｃ）に示す内容に更新される。また、図３（ｂ）に示す機能登録画面が、図３（ｄ）に示す内容に更新される。Ｓ６０６の処理を終えると、システム制御部５０は、図５のＳ５０７に戻る。
【００７９】
図７（ａ）は、図５のＳ５１０における個別機能領域への選択枠移動処理のフローチャートを示す。
【００８０】
Ｓ７０１で、システム制御部５０は、システムメモリ５２に記憶されている選択定義情報を読み込み、初期値となっているか否かを判定する。選択定義情報とは、前述のとおり、初期値の場合は、現在の撮影モードの列に選択枠をあて、初期値でない場合は、前回選択枠があたっていた撮影モードの列に選択枠をあてるための情報である。選択定義情報が初期値であった場合、システム制御部５０は、Ｓ７０２に進み、選択枠が移動する対象（選択対象）の列を現在の撮影モードの列に決定する。選択定義情報が初期値でないと判定した場合は、システム制御部５０は、Ｓ７０３に進み、選択対象の列を選択定義情報に従った撮影モードの列に決定する。
【００８１】
Ｓ７０４で、システム制御部５０は、選択対象列におけるプリセットパターン切り替えの行の次の行のセルが、選択枠を移動させる対象として有効か否かを判定する。有効であると判定した場合、システム制御部５０は、Ｓ７０５に進み、有効でない（無効である）と判定した場合、Ｓ７０６に進む。選択対象列におけるプリセットパターン切り替えの行の次の行は、図５のＳ５０９で判定された操作が上ボタンの押下であった場合、個別機能領域のコントローラホイールの行である。図５のＳ５０９で判定された操作が下ボタンの押下の場合、個別機能領域の電子ダイヤルの行である。これは、図７（ｂ）に示す選択対象行の選択順番に基づく。すなわち、上ボタンの操作に応じて、図７（ｂ）において現在の選択対象行よりも番号の一つ少ない行が選択対象行となる。また、下ボタンの操作に応じて、図７（ｂ）において現在の選択対象行よりも番号が一つ多い行が選択対象行となる。選択枠を移動させる対象として有効な行とは、プリセットパターンで機能が割り当てられるセル以外のセルのことであり、ユーザが撮影モード毎に個別に機能を設定できるセルである。マニュアルモード、Ａｖ優先モード及びＴｖモードでは、現在優先操作部材となっていない方の操作部材の行のセルが有効である。他方、Ｐモードでは、電子ダイヤルの行とコントローラホイールの行の双方のセルが有効である。
【００８２】
Ｓ７０５で、システム制御部５０は、選択対象行をＳ７０２又はＳ７０３で決めた選択対象行に決定し、決定された選択対象行（次の行）のセルに選択枠を移動するように表示を更新する。これによって、例えば図３（ｂ）に示す画面を表示した際の現在の撮影モードがＡｖ優先モードであった状況での上ボタンの押下に応じて、図４（ａ）又は図４（ｂ）に示す表示となる。
【００８３】
Ｓ７０６で、システム制御部５０は、選択対象行をＳ７０２又はＳ７０３で決めた選択対象行より１つ進めた行（さらに次の行）に決定し、決定された選択対象行のセルに選択枠を移動するように表示を更新する。
【００８４】
Ｓ７０７で、システム制御部５０は、上下ボタン又は左右ボタンが押下されたか否かを判定する。上下ボタン又は左右ボタンが押下されたと判定すると、システム制御部５０は、Ｓ７０８に進み、選択枠移動処理を行う。選択枠移動処理の詳細は、図８を用いて後述する。上下ボタン又は左右ボタンのいずれも押下されていないと判定すると、システム制御部５０は、Ｓ７０９に進む。
【００８５】
Ｓ７０９で、システム制御部５０は、電子ダイヤル７４が操作されたか否かを判定する。電子ダイヤル７４が操作されたと判定すると、システム制御部５０は、Ｓ７１０に進む。Ｓ７１０では、システム制御部５０は、割り当て機能変更処理を行う。割り当て機能変更処理の詳細は、図９を用いて後述する。電子ダイヤルが操作されていないと判定すると、システム制御部５０は、Ｓ７１１に進む。Ｓ７１１では、システム制御部５０は、終了操作が行われたか否かを判定する。終了操作は、図５のＳ５１１で説明した操作と同様の操作である。終了操作が行われていないと判定すると、システム制御部５０は、Ｓ７０７に戻り、処理を繰り返す。終了操作が行われたと判定すると、システム制御部５０は、Ｓ７１２に進む。Ｓ７１２では、システム制御部５０は、機能登録画面を閉じ（機能登録画面の表示を消去し）、個別機能領域への選択枠移動処理および機能登録処理を終了する。
【００８６】
図８は、図７（ａ）のＳ７０８における選択枠移動処理のフローチャートを示す。
【００８７】
Ｓ８０１で、システム制御部５０は、Ｓ７０７で判定された操作されたボタンがなんであるかを判定する。上下ボタンであると判定した場合は、システム制御部５０は、Ｓ８０２に進み、左右ボタンであると判定した場合、Ｓ８０３に進む。
【００８８】
Ｓ８０２で、システム制御部５０は、上下ボタンの操作による選択枠の移動先（選択対象行）がプリセットパターン切替えの行であるか否かを判定する。上下ボタンの操作による選択枠の移動ルールは、図７（ｂ）に示す表を用いて説明した通りである。選択枠の移動先がプリセットパターン切替えの行であると判定した場合、システム制御部５０は、図５のＳ５０７に戻り、プリセットパターン切替えの行でないと判定した場合、Ｓ８０３に進む。
【００８９】
Ｓ８０３で、システム制御部５０は、Ｓ７０７で判定された上下ボタン又は左右ボタンの押下に応じて、個別機能領域の有効なセルに選択枠を移動する。上下ボタンの操作による選択枠の移動ルールは、図７（ｂ）の表を用いて説明したとおりである。左右ボタンの操作に対しては、左ボタンの押下に応じて個別機能領域でのひとつ左の列のセルに選択枠を移動し、右ボタンの押下に応じて個別機能領域でのひとつ右の列のセルに選択枠を移動する。
【００９０】
Ｓ８０４で、システム制御部５０は、Ｓ８０３での選択枠の移動の前後で、選択枠のある列が異なるか否かを判定する。異なると判定した場合は、システム制御部５０は、Ｓ８０５に進む。異ならない（同一である）と判定した場合、システム制御部５０は、選択枠移動処理を終了して、図７（ａ）のＳ７０７に戻る。
【００９１】
Ｓ８０５で、システム制御部５０は、システムメモリに保持されている選択定義情報として、Ｓ８０３での選択枠移動後の列を記憶する。Ｓ８０５での処理を終えると、システム制御部５０は、選択枠移動処理を終了して図７（ａ）のＳ７０７に戻る。
【００９２】
図９（ａ）は、図７（ａ）のＳ７１０における割り当て機能変更処理のフローチャートを示す。
【００９３】
割り当て機能変更処理では、個別機能領域のセルに選択枠が当たった状態で電子ダイヤル７４を回転操作することにより、該当するセルの機能を変更できる。図９（ｂ）は、割り当て可能な機能とその機能番号の表を示す。この表の内容と特定可能な情報は、不揮発性メモリ５６に記憶されている。電子ダイヤル７４を時計方向に回転させる操作を行うことによって、現在割り当てられている機能よりも機能番号の多い機能に割り当て機能を変更できる。電子ダイヤル７４を反時計方向に回転させる操作を行うことによって、現在割り当てられている機能よりも機能番号の少ない機能に割り当て機能を変更できる。
【００９４】
Ｓ９０１では、システム制御部５０は、図７のＳ７０９で判定した電子ダイヤル７４の操作方向が機能番号を増やす方向（時計方向）か、減らす方向（反時計方向）かを判定する。減らす方向であると判定すると、システム制御部５０は、Ｓ９０２に進み、電子ダイヤル７４の操作量に応じて現在割り当てられている機能よりも機能番号の少ない機能を機能候補としてシステムメモリ５２に取得する。なお、機能番号０より減る場合、機能番号０から機能番号３に遷移する。増やす方向であると判定すると、システム制御部５０は、Ｓ９０３に進み、電子ダイヤル７４の操作量に応じて現在割り当てられている機能よりも機能番号の多い機能を機能候補としてシステムメモリ５２に取得する。なお、機能番号３より増加する場合は、機能番号３から機能番号０に遷移する。
【００９５】
Ｓ９０４で、システム制御部５０は、Ｓ９０３で取得した機能候補が優先操作部材に対し同一撮影モード内（同一の列内）で割り当てられている機能と重複するか否か（即ち、その機能が他方の操作部材に登録済みか否か）を判定する。重複していると判定した場合、システム制御部５０は、Ｓ９０４に進み、重複していないと判定した場合は、Ｓ９０７へ進む。
【００９６】
Ｓ９０５で、システム制御部５０は、Ｓ９０３で取得した機能候補をスキップして、機能番号をＳ９０１で判定した方向の一つ隣の機能番号に進める。Ｓ９０６で、システム制御部５０は、その機能番号の機能（次の機能候補）をシステムメモリ５２に取得する。電子ダイヤル７４とコントローラホイール７３との双方に同じ機能を割り当てると、ユーザが混乱する恐れがあるのと、同時に実行可能な機能が減るので、割り当て機能を排他的に異なるものにしている。ただし電子ダイヤル７４とコントローラホイール７３との双方に同じ機能を割り当てるように制御すること自体は可能であり、許容してもよい。
【００９７】
Ｓ９０７で、システム制御部５０は、Ｓ９０３又はＳ９０６で取得した機能候補のうち新しい方の機能を、現在選択枠があたっているセルの行の操作部材の、当該セルの列の撮影モードの機能として、不揮発性メモリ５６に記憶する。
【００９８】
Ｓ９０８で、システム制御部５０は、Ｓ９０７で記憶した機能を表すアイコンが選択枠のあるセルに表示されるように、表示を更新する。これによって、電子ダイヤル７４の操作に応じた画面に切り替えられ、例えば、図４（ｂ）、図４（ｃ）又は図４（ｄ）に図示したように、選択枠のあるセルの機能が切り替わって表示される。Ｓ９０８の処理を終えると、システム制御部５０は、図７（ａ）のＳ７０７に戻る。
【実施例２】
【００９９】
図１０を用いて実施例２を説明する。実施例１では、同一の操作部材に優先機能(シャッタスピード又は絞り数値等)を割り当てるのに対し、実施例２では、同一の操作部材には常に同じ機能（シャッタスピード又は絞り数値等）を割り当てる。すなわち、実施例２では、優先操作部材のプリセットで選択できるセルは、図１０に示すように、ハイフンのアイコン（無効が割り当てられている）が表示されているセルである。それ以外は、実施例１で説明した内容と同様であるので、詳細な説明は省略する。
【０１００】
（他の実施例）
【０１０１】
実施例１で説明した優先操作部材のプリセットパターンと、実施例２で説明したプリセットパターンの全てを選択可能なようにしてもよい。例えば、プリセットパターン切替えの行に選択枠がある状態での左右ボタンの押下に応じて、図３（ａ）、図３（ｂ）、図３（ｃ）及び図１０の全てを候補として順に選択できるようにしてもよい。また、メニュー画面におけるメニュー項目で、実施例１のように同一の操作部材に優先機能を割り当てるか、又は、実施例２のように常に同一操作部材には同じ機能を割り当てるかを選択するようにしてもよい。
【０１０２】
本発明は、Ａｖ優先モードとＴｖ優先モードを有するコンパクトデジタルカメラ、デジタル一眼レフカメラ、デジタルビデオカメラ、カメラ機能を有する携帯電話端末、ゲーム機、ＰＤＡなどの撮像装置に適用可能である。
【０１０３】
なお、システム制御部５０の制御は１つのハードウェアが行ってもよいし、複数のハードウェアが処理を分担することで、装置全体の制御を行ってもよい。
【０１０４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０５】
本発明は、以下の処理を実行することによっても実現される。即ち、上述した実施形態の機能を実現するソフトウエア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した外部読み出し可能な記録媒体は本発明を構成することになる。
【図１】
0005602524.tif 000002
【図２】
0005602524.tif 000003
【図３】
0005602524.tif 000004
【図４】
0005602524.tif 000005
【図５】
0005602524.tif 000006
【図６】
0005602524.tif 000007
【図７】
0005602524.tif 000008
【図８】
0005602524.tif 000009
【図９】
0005602524.tif 000010
【図１０】
0005602524.tif 000011